(57)【要約】【課題】必要に応じてホット飲料とコールド飲料の両方を販売することができるとともに、装置の小型化及び低コスト化を図ることのできるカップ式飲料自動販売機を提供する。【解決手段】原料が供給された抽出機8に抽出ポンプ12によって湯を供給することにより抽出機8からホット用の抽出濃度又はコールド用の抽出濃度の飲料を抽出し、飲料をカップAに供給するカップ式飲料自動販売機であって、ホット用の抽出濃度又はコールド用の抽出濃度の一方を選択する商品選択スイッチ1a、ホット用デミタススイッチ1j及びコールド用デミタススイッチ1dと、外部に併設可能な製氷機20から出力される所定の情報に基づいてコールド用の抽出濃度の選択の可否を制御する制御部13とを備えた。【選択図】図１
2007156883.tif 000002
【特許請求の範囲】
【請求項１】
抽出部に原料を供給し、抽出部に湯を供給することにより抽出部からホット用の抽出濃度又はコールド用の抽出濃度の飲料を抽出し、飲料をカップに供給するカップ式飲料自動販売機であって、
ホット用の抽出濃度及びコールド用の抽出濃度の一方を選択するスイッチと、
外部に併設される製氷機から出力される所定の情報に基づいてスイッチによるコールド用の抽出濃度の選択の可否を制御する制御部とを備えた
ことを特徴とするカップ式飲料自動販売機。
【請求項２】
製氷機から出力される所定の情報を取得不能なときに、スイッチによるコールド用の抽出濃度の選択を不能にするように構成した
ことを特徴とする請求項１に記載のカップ式飲料自動販売機。
【請求項３】
前記製氷機から所定の異常情報が出力されたときに、スイッチによるコールド用の抽出濃度の選択を不能にするように構成した
ことを特徴とする請求項１又は２に記載のカップ式飲料自動販売機。
【請求項４】
前記所定の異常情報が出力されなくなったときの製氷機の貯氷量に基づいて、スイッチによりコールド用の抽出濃度を選択可能にするように構成した
ことを特徴とする請求項３に記載のカップ式飲料自動販売機。
【請求項５】
前記製氷機において所定時間継続して氷の搬出操作が行われたときに、スイッチによるコールド用の抽出濃度の選択を不能にするように構成した
ことを特徴とする請求項１乃至４の何れかに記載のカップ式飲料自動販売機。
【請求項６】
前記製氷機において所定時間内の氷の搬出操作時間の累計が所定時間に達したときに、スイッチによるコールド飲料用の抽出濃度の選択を不能にするように構成した
ことを特徴とする請求項１乃至５の何れかに記載のカップ式飲料自動販売機。
【請求項７】
前記制御部が製氷機に貯えられた氷の有無に基づいてスイッチによるコールド用の抽出濃度の選択の可否を制御するように構成した
ことを特徴とする請求項１乃至３の何れかに記載のカップ式飲料自動販売機。
【発明の詳細な説明】
【技術分野】
【０００１】
本発明は、コーヒー豆等の原料から飲料を抽出し、カップに注入して販売するカップ式飲料自動販売機に関するものである。
【背景技術】
【０００２】
従来、この種のカップ式飲料自動販売機としては、内部に製氷機や冷却ユニット或いは冷却水槽を備え、ホット飲料とコールド飲料の両方を販売することにより、利用者の多様な需要に対応するようにしたものが知られれている（例えば、特許文献１参照）。
【特許文献１】特開昭６１−９７８７号公報
【発明の開示】
【発明が解決しようとする課題】
【０００３】
ところで、冬期においてはコールド飲料の需要は低く、また、夏期においても空調の完備された室内等においては必ずしもコールド飲料が必要ではない。しかしながら、従来のカップ式飲料自動販売機では、ホット飲料とコールド飲料の両方の需要に応えるために内部に製氷機等を備えているので、装置が大型化し、製造・維持等のコストも高くなるという問題があった。
【０００４】
本発明は前記問題点に鑑みてなされたものであり、その目的とするところは、必要に応じてホット飲料とコールド飲料の両方を販売することができるとともに、装置の小型化及び低コスト化を図ることのできるカップ式飲料自動販売機を提供することにある。
【課題を解決するための手段】
【０００５】
本発明は前記目的を達成するために、抽出部に原料を供給し、抽出部に湯を供給することにより抽出部からホット用の抽出濃度又はコールド用の抽出濃度の飲料を抽出し、飲料をカップに供給するカップ式飲料自動販売機であって、ホット用の抽出濃度又はコールド用の抽出濃度の一方を選択するスイッチと、外部に併設される製氷機から出力される所定の情報に基づいてスイッチによるコールド用の抽出濃度の選択の可否を制御する制御部とを備えたカップ式飲料自動販売機を提案する。
【０００６】
本発明によれば、ホット飲料を販売することが可能であるとともに、製氷機から出力される所定の情報に基づいてコールド用の抽出濃度の選択の可否が制御されることから、併設した製氷機からカップに氷を加えることでコールド飲料を販売することが可能となる。
【発明の効果】
【０００７】
本発明によれば、ホット飲料を販売することができるとともに、併設した製氷機からカップに氷を加えることでコールド飲料を販売することができるので、コールド飲料の需要があるところに必要に応じて製氷機を併設すれば良く、製氷機を内蔵することなく装置の小型化及び低コスト化を図ることができる。
【０００８】
また、製氷機から出力される所定の情報に基づいてコールド用の抽出濃度の選択の可否が制御されるので、例えば製氷機が併設されていないときに、誤ってコールド飲料が販売されることを防止することができ、サービス性の向上を図ることができる。
【発明を実施するための最良の形態】
【０００９】
図１乃至図６は本発明の一実施形態を示すもので、図１はカップ式飲料自動販売機の正面図、図２は図１に示したカップ式飲料自動販売機の構成を示す概略図、図３はカップ式飲料自動販売機のコーヒー飲料販売の判定を示すフローチャート、図４はコールド売切ランプの点灯動作を示すフローチャート、図５はコールド売切ランプの消灯動作を示すフローチャート、図６はコールド売切ランプの消灯動作を示すフローチャートである。
【００１０】
まず、図１及び図２を参照して本実施形態のカップ式飲料自動販売機の構成について説明する。
【００１１】
カップ式飲料自動販売機は、自動販売機本体1と、飲料水を加熱するボイラ2と、飲料水を貯蔵する給水タンク3と、粉末原料を収納する複数の粉末原料容器4と、各粉末原料容器4から搬出された原料を湯と混合する複数のミキシングボール5と、各ミキシングボール5を換気する換気ファン6と、コーヒー豆を原料として収納するコーヒー原料容器7と、コーヒー飲料を抽出する抽出機8と、カップAを搬出するカップ搬出機9と、カップ搬出機9から搬出されたカップAを商品取出口1iに移動させるカップ移動機構10と、不要な排出液を収容する排水容器11と、ボイラ2を介して飲料水を抽出機8に供給する抽出ポンプ12とを備えている。
【００１２】
自動販売機本体1の前面には、複数の商品選択スイッチ1aと、各商品選択スイッチ1aに付設された販売ランプ1bと、砂糖入り，ミルク入り，ブラック等の味付けを選択する補助選択スイッチ1cとが設けられている。また、コーヒー飲料としてホット用の高濃度の飲料を選択するホット用デミタススイッチ1jと、コールド用の高濃度の飲料を選択するコールド用デミタススイッチ1dとが設けられ、コールド用デミタススイッチ1dにコールド売切ランプ1eが付設され、コールド売切ランプ1e点灯時には、コールド用デミタススイッチ1dが選択できないようになっている。
【００１３】
また、自動販売機本体1の前面には、硬貨投入口1f、硬貨返却口1g、金額表示部1h及び商品取出口1iが設けられ、硬貨投入口1fに投入された硬貨は図示しない内部の硬貨処理装置によって処理されるようになっている。
【００１４】
ボイラ2は、図示しない内部のヒータによって９０℃前後の湯を生成する周知の瞬間式小型ボイラからなり、所定容量のタンク2aを有している。タンク2aには給水口2b及び排水口2cが設けられるとともに、湯を吐出する複数の吐出口2dが設けられ、排水口2cは電磁弁2eによって開閉するようになっている。
【００１５】
給水タンク3は、給水ポンプ3a、シスターン3b、フィルタ3c及び流量計3dを介して抽出ポンプ12側に接続され、内部に貯蔵した飲料水を給水ポンプ3aによってシスターン3bに供給するようになっている。この給水タンク3は自動販売機本体1内の下部に設置されており、例えば外部から飲料水が直接補給されるものであったり、或いは予め飲料水を貯蔵した新たな給水タンク3と交換されるものであってもよい。
【００１６】
各粉末原料容器4は、粉末原料としての紅茶（または日本茶）、クリーム、ココア及び砂糖をそれぞれ収容しており、所定量の原料をそれぞれ搬出するようになっている。
【００１７】
各ミキシングボール5は、各粉末原料容器4の下方に配置され、粉末原料容器4から搬出された原料を受容するようになっている。すなわち、ミキシングボール5にはボイラ2から湯が供給され、ミキシングボール5内で粉末原料と湯が混合されて商品取出口1iのカップAに注入されるようになっている。また、一部のミキシングボール5には攪拌機5aが設けられている。
【００１８】
換気ファン6は、各ミキシングボール5の上方に配置されたダクト6aに接続され、ミキシングボール5内の湯気をダクト6aを介して外部に排出するようになっている。
【００１９】
コーヒー原料容器7はコーヒー豆を挽くミル7aを有し、計量器7bで計量した所定量の原料（挽き豆）を抽出機8に搬出するようになっている。
【００２０】
抽出機8は、ボイラ2の吐出口2dから給送された湯を用いて原料（挽き豆）からコーヒー飲料を抽出する周知の構成からなり、抽出した飲料は商品取出口1iのカップAに注入され、抽出後の原料滓は滓容器8aに排出されるようになっている。
【００２１】
カップ搬出機9は飲料販売用のカップAを収容する周知の構成からなり、カップAを一つずつカップ移動機構10側に落下搬出するようになっている。
【００２２】
カップ移動機構10は、一端にカップAを受容可能なアーム10aと、アーム10aを回動させるモータ10bとから構成されている。このカップ移動機構10は、カップ搬出機9から搬出されたカップAをアーム10aによって受け取り、アーム10aをモータ10bによって回動させることにより、カップAを商品取出口1iに移動させるようになっている。
【００２３】
排水容器11は自動販売機本体1内の下部に設置され、ボイラ2の排水口2c及び商品取出口1iから排出される不要液を収容するようになっている。
【００２４】
抽出ポンプ12は周知の電磁ポンプからなり、シスターン3b内の飲料水を吸入して所定の圧力でボイラ2側に吐出するようになっている。
【００２５】
制御部13は自動販売機本体1内に設けられ、カップ式飲料自動販売機の全体の動作を制御する周知のコンピュータからなり、接続線24を介して自動販売機本体1の外部の製氷機20が接続されている。
【００２６】
製氷機20は図示しない貯氷タンクを有する周知のセルタイプ製氷機からなり、自動販売機本体1の右側（または左側）に併設されるようになっている。製氷機20の前面には払出ボタン21、カップ設置口22、払出口23が設けられ、払出ボタン21を押すことによって、貯氷タンクに貯えられた氷が払出口23からカップ設置口22に置かれたカップAに注入されるようになっている。また、異常発生信号、払出ボタン信号及び製氷中信号等の製氷機20における動作状態に関する情報が、常時、接続線24を介して制御部13に出力されるようになっている。
【００２７】
次に、カップ式飲料自動販売機におけるコーヒー飲料販売の判定を図３を参照して説明する。
【００２８】
利用者によって金銭が投入され、商品選択スイッチ1aによってコーヒー飲料が選択されると、制御部13は初期処理を行う（S1）。
【００２９】
この初期処理では、制御部13はカップ搬出機9からカップAを搬出させるとともに、モータ10bを駆動してカップ移動機構10によってカップAを商品取出口1iに移動する。
【００３０】
次いで、制御部13はホット用デミタススイッチ1jによってホット用の高濃度のコーヒー飲料が選択されているか否かを判定し（S2）、ホット用の高濃度のコーヒー飲料が選択されているときは、制御部13はコーヒー原料容器7を駆動して抽出機8に原料を搬出し、抽出ポンプ12及びボイラ2を駆動してホット高濃度用の量の湯を抽出機8に供給するとともに、抽出機8を駆動して高濃度のコーヒー飲料を抽出してカップAに注入する(S3)。その後、制御部13はコーヒー飲料の販売動作を終了する。
【００３１】
なお、補助選択スイッチ1cによってクリーム及び砂糖が選択された場合には、制御部13はS3の処理とともに、粉末原料容器4を駆動してクリーム及び砂糖をミキシングボール5に搬出し、抽出ポンプ12及びボイラ2を駆動してミキシングボールに湯を供給して、攪拌機5aによってこれらを混合してカップAに注入する。
【００３２】
S2の判定の結果、ホット用の高濃度のコーヒー飲料が選択されていない場合、制御部13はコールド売切ランプ1eが消灯しているか否かを判定し（S4）、コールド売切ランプ1eが消灯していない場合、すなわちコールド売切ランプ1eが点灯しているときには、制御部13はコーヒー原料容器7を駆動して抽出機8に原料を搬出し、抽出ポンプ12及びボイラ2を駆動してホット通常濃度用の量の湯を抽出機8に供給するとともに、抽出機8を駆動してホット用の通常濃度のコーヒー飲料を抽出してカップAに注入する(S5)。その後、制御部13はコーヒー飲料の販売動作を終了する。なお、クリーム及び砂糖が選択された場合の動作は前記と同様である。
【００３３】
S4の判定の結果、コールド売切ランプ1eが消灯している場合、制御部13はコールド用デミタススイッチ1dによってコールド用の高濃度のコーヒー飲料が選択されているか否かを判定し（S6）、コールド用の高濃度のコーヒー飲料が選択されていないときは、前記S5の処理を行い、コーヒー飲料の販売動作を終了する。
【００３４】
この判定の結果、コールド用の高濃度のコーヒー飲料が選択されているときには、制御部13はコーヒー原料容器7を駆動して抽出機8に原料を搬出し、抽出ポンプ12及びボイラ2を駆動してコールド高濃度用の量の湯を抽出機8に供給するとともに、抽出機8を駆動してコールド用の高濃度のコーヒー飲料を抽出してカップAに注入する(S5)。これにより、ホットのコーヒー飲料を販売することが可能になるとともに、コールド用の高濃度のコーヒー飲料をカップAに注入するときには、併設した製氷機20からカップAに氷を加えることで、コールド用の高濃度のコーヒー飲料を希釈し冷却して、コールドのコーヒー飲料を販売することが可能となる。
【００３５】
その後、制御部13はコーヒー飲料の販売動作を終了する。なお、クリーム及び砂糖が選択された場合の動作は前記と同様である。
【００３６】
本実施形態では、制御部13がボイラ2から抽出機8に供給する湯量を制御してコーヒー飲料の濃度を変更するようにしたが、これに限定されず、コーヒー原料容器7から抽出機8に搬出する原料の量を制御するようにしてもよいし、抽出機8の抽出圧力を制御するようにしてもよい。
【００３７】
次に、コールド売切ランプの点灯及び消灯の動作を図４乃至図６を参照して説明する。
【００３８】
カップ式飲料自動販売機が起動すると、図４に示すコールド売切ランプ点灯処理S10が実行される。この時点ではコールド売切ランプ1eは消灯している。
【００３９】
すなわち、制御部13は接続線24を介して製氷機20から動作状態の情報を取得できるか否かを判定する（S11）。
【００４０】
この判定の結果、情報を取得できない場合、接続線24が断線していたり、そもそも製氷機20が併設されておらず製氷機20と接続していないことが考えられるので、制御部13はコールド売切ランプ1eを点灯し（S12）、再度S11の処理を行う。これにより、コーヒー飲料販売時にコールド用デミタススイッチ1dによるコールド用の高濃度のコーヒー飲料が選択不能となる。
【００４１】
情報を取得できる場合、制御部13は接続線24を介して取得した異常発生信号に基づいて、製氷機20に異常が発生していないかを判定する(S13)。
【００４２】
この判定の結果、製氷機20に異常が発生している場合、製氷機20の故障・不具合により氷を注入できないと考えられるので、制御部13はコールド売切ランプ1eを点灯し（S12）、再度S11の処理を行う。これにより、コーヒー飲料販売時にコールド用デミタススイッチ1dによるコールド用の高濃度のコーヒー飲料が選択不能となる。
【００４３】
製氷機20に異常が発生していない場合、制御部13は接続線24を介して取得した払出ボタン信号と、図示しないリモコン等によって予め設定され変更可能な所定時間（例えば２０秒）とに基づいて、製氷機20の払出ボタン21が所定時間継続して押されていないかを判定する(S14)。なお、所定時間はカップAに氷を注入して満杯になる時間（例えば約８秒）に基づいて設定・変更するのが望ましい。
【００４４】
この判定の結果、製氷機20の払出ボタン21が所定時間継続して押されている場合、貯氷タンク内の氷が少なくなっているか、無くなっている可能性が高いと考えられるので、制御部13はコールド売切ランプ1eを点灯し（S12）、再度S11の処理を行う。これにより、コーヒー飲料販売時にコールド用デミタススイッチ1dによるコールド用の高濃度のコーヒー飲料が選択不能となる。
【００４５】
製氷機20の払出ボタン21が所定時間継続して押されていない場合、制御部13は接続線24を介して取得した払出ボタン信号と、図示しないリモコン等によって予め設定され変更可能な監視時間（例えば６０秒）及び判定時間（例えば２０秒）とに基づいて、監視時間ごとに累計した製氷機20の払出ボタン21が押されている時間が判定時間以上でないかを判定する(S15)。なお、監視時間及び判定時間は製氷機20の設置場所での使用状況にあわせて適宜設定・変更するのが望ましい。
【００４６】
この判定の結果、監視時間ごとに累計した製氷機20の払出ボタン21が押されている時間が判定時間以上の場合、貯氷タンク内の氷が少なくなっているか、無くなっている可能性が高いと考えられるので、制御部13はコールド売切ランプ1eを点灯し（S12）、再度S11の処理を行う。これにより、コーヒー飲料販売時にコールド用デミタススイッチ1dによるコールド用の高濃度のコーヒー飲料が選択不能となる。
【００４７】
監視時間ごとに累計した製氷機20の払出ボタン21が押されている時間が判定時間以上でない場合、制御部13は何もせず、カップ式飲料自動販売機が停止するまでS11〜S15の処理を繰り返す。
【００４８】
S13の判定の結果、製氷機20に異常が発生している場合、コールド売切ランプ点灯処理S10と並行して、図５に示す異常回復処理S20が実行される。
【００４９】
すなわち、制御部13は接続線24を介して取得した異常発生信号に基づいて、製氷機20に発生した異常が回復しているか否かを判定する(S21)。
【００５０】
この判定の結果、異常が回復していない場合、異常が回復するまでS21の処理を繰り返し、異常が回復している場合、制御部13は図示しないタイマ等によって時間測定を開始するとともに、接続線24を介して取得した製氷中信号に基づいて製氷機20が製氷中か否かを判定する(S22)。
【００５１】
この判定の結果、製氷機20が製氷中でない場合、貯氷タンク内の氷が満杯であると考えられるので、制御部13はコールド売切ランプ1eを消灯し（S24）、異常回復処理S20を終了する。これにより、コーヒー飲料販売時にコールド用デミタススイッチ1dによるコールド用の高濃度のコーヒー飲料が選択可能となる。
【００５２】
製氷機20が製氷中の場合、貯氷タンク内の氷の量が不充分である可能性があるので、制御部13は異常回復から所定時間を経過したか否かを判定する(S23)。ここでは、異常回復から充分な量の氷が製造される時間として、所定時間を１５分程度に設定することが望ましい。
【００５３】
この判定の結果、所定時間を経過していない場合、再度S21の処理を行う。なお、再度S21の処理を行った結果、異常が回復していない場合、すなわち異常回復後所定時間経過前に再度異常が発生したときは、制御部13はタイマ等による時間測定を停止し、測定時間をリセットする。
【００５４】
所定時間を経過した場合、充分な量の氷が製造され貯氷タンク内に貯えられていると考えられるので、制御部13はコールド売切ランプ1eを消灯し（S24）、異常回復処理S20を終了する。これにより、コーヒー飲料販売時にコールド用デミタススイッチ1dによるコールド用の高濃度のコーヒー飲料が選択可能となる。
【００５５】
また、S14の判定の結果、製氷機20の払出ボタン21が所定時間継続して押されている場合や、S15の判定の結果、監視時間ごとに累計した製氷機20の払出ボタン21が押されている時間が判定時間以上の場合、コールド売切ランプ点灯処理S10と並行して、図６に示す連続使用回復処理S30が実行される。
【００５６】
すなわち、制御部13は図示しないタイマ等によって時間測定を開始するとともに、払出ボタン21の連続使用から所定時間を経過したか否かを判定する(S31)。ここでは、連続使用から充分な量の氷が製造される時間として、所定時間を１５分程度に設定することが望ましい。
【００５７】
この判定の結果、所定時間を経過していない場合、再度S31の処理を行い、所定時間を経過した場合、充分な量の氷が製造され貯氷タンク内に貯えられていると考えられるので、制御部13はコールド売切ランプ1eを消灯し（S32）、連続使用回復処理S30を終了する。これにより、コーヒー飲料販売時にコールド用デミタススイッチ1dによるコールド用の高濃度のコーヒー飲料が選択可能となる。
【００５８】
なお、連続使用回復処理S30が同時に複数実行される場合、例えば払出ボタン21の継続使用が無くなってから所定時間経過前に、監視時間ごとに累計した製氷機20の払出ボタン21が押されている時間が判定時間以上のとき、コールド売切ランプ1eの消灯は複数の連続使用回復処理S30の論理積によって判断される。すなわち、全ての連続使用回復処理S30でコールド売切ランプ1eが消灯となったときに、制御部13はコールド売切ランプ1eを消灯する。また、異常回復処理S20と連続使用回復処理S30が同時に実行される場合、例えば製氷機20の異常回復後所定時間経過前に払出ボタン21が継続使用されたときも同様である。
【００５９】
このように、本実施形態のカップ式飲料自動販売機によれば、ホットのコーヒー飲料を販売することができるとともに、コールド用の高濃度のコーヒー飲料をカップAに注入するときには、併設した製氷機20からカップAに氷を加えることでコールドのコーヒー飲料を販売することができるので、コールドのコーヒー飲料の需要があるところに必要に応じて製氷機20を併設すれば良く、製氷機20を内蔵することなく装置の小型化及び低コスト化を図ることができる。
【００６０】
また、接続線24を介して製氷機20から動作状態の情報を取得できない場合、コールド売切ランプ1eを点灯し、コーヒー飲料販売時にコールド用デミタススイッチ1dによるコールド用の高濃度のコーヒー飲料が選択不能となるので、製氷機20が併設されていないときに誤ってコールドのコーヒー飲料が販売されることを防止することができ、サービス性の向上を図ることができる。
【００６１】
また、製氷機20に異常が発生している場合、コールド売切ランプ1eを点灯し、コーヒー飲料販売時にコールド用デミタススイッチ1dによるコールド用の高濃度のコーヒー飲料が選択不能となるので、製氷機20に故障・不具合が発生しているときに誤ってコールドのコーヒー飲料が販売されることを防止することができ、サービス性の向上を図ることができる。
【００６２】
また、製氷機20の異常回復時に貯氷タンクが満杯のときや異常回復から所定時間経過したときに、コールド売切ランプ1eを点灯し、コーヒー飲料販売時にコールド用デミタススイッチ1dによるコールド用の高濃度のコーヒー飲料が選択可能となるので、製氷機20の貯氷量に応じて迅速にコールドのコーヒー飲料を販売することができる。
【００６３】
また、製氷機20の払出ボタン21が所定時間継続して押されているときに、コールド売切ランプ1eを点灯し、コーヒー飲料販売時にコールド用デミタススイッチ1dによるコールド用の高濃度のコーヒー飲料が選択不能となり、所定時間を経過したときに、コールド売切ランプ1eを消灯し、コーヒー飲料販売時にコールド用デミタススイッチ1dによるコールド用の高濃度のコーヒー飲料が選択可能となるので、製氷機20の貯氷量に応じて迅速にコールドのコーヒー飲料を販売することができる。
【００６４】
また、監視時間ごとに累計した製氷機20の払出ボタン21が押されている時間が判定時間以上のときに、コールド売切ランプ1eを点灯し、コーヒー飲料販売時にコールド用デミタススイッチ1dによるコールド用の高濃度のコーヒー飲料が選択不能となり、所定時間を経過したときに、コールド売切ランプ1eを消灯し、コーヒー飲料販売時にコールド用デミタススイッチ1dによるコールド用の高濃度のコーヒー飲料が選択可能となるので、製氷機20の貯氷量に応じて迅速にコールドのコーヒー飲料を販売することができる。
【００６５】
図７は前記実施形態の変形例を示すもので、コールド売切ランプ点灯消灯処理S10Aはコールド売切ランプ点灯処理S10に代えて実行されるもので、S13〜S15の処理に代えてS16及びS17の処理を設けたものである。
【００６６】
すなわち、S11の判定の結果、接続線24を介して製氷機20から動作状態の情報を取得できる場合、製氷機20に設けられた氷センサ等によって検出される製氷有無信号を制御部13が接続線24を介して取得し、これに基づいて製氷機20の貯氷タンクに氷があるか否かを判定する(S16)。
【００６７】
この判定の結果、製氷機20に氷がない場合、制御部13はコールド売切ランプ1eを点灯し（S12）、再度S11の処理を行う。
【００６８】
製氷機20に氷がある場合、制御部13はコールド売切ランプ1eを消灯し（S17）、再度S11の処理を行う。
【００６９】
このように、製氷機20に氷がないときにコールド売切ランプ1eを点灯し、コーヒー飲料販売時にコールド用デミタススイッチ1dによるコールド用の高濃度のコーヒー飲料が選択不能となり、製氷機20に氷があるときにコールド売切ランプ1eを消灯し、コーヒー飲料販売時にコールド用デミタススイッチ1dによるコールド用の高濃度のコーヒー飲料が選択可能となるので、前記と同様の効果を得ることができる。
【００７０】
なお、本発明の構成及び動作は、前述の実施形態にのみ限定されるものではなく、本発明の要旨を逸脱しない範囲内において種々変更を加えてもよい。
【図面の簡単な説明】
【００７１】
【図１】カップ式飲料自動販売機の正面図
【図２】図１に示したカップ式飲料自動販売機の構成を示す概略図
【図３】カップ式飲料自動販売機のコーヒー飲料販売の判定を示すフローチャート
【図４】コールド売切ランプの点灯動作を示すフローチャート
【図５】コールド売切ランプの消灯動作を示すフローチャート
【図６】コールド売切ランプの消灯動作を示すフローチャート
【図７】実施形態の変形例を示すフローチャート
【符号の説明】
【００７２】
1a…商品選択スイッチ、1d…コールド用デミタススイッチ、1e…コールド売切ランプ、1j…ホット用デミタススイッチ、8…抽出機、12…抽出ポンプ、13…制御部、20…製氷機、21…払出ボタン、S10…コールド売切ランプ点灯処理、S10A…コールド売切ランプ点灯消灯処理、S20…異常回復処理、S30…連続使用回復処理
【図１】
2007156883.tif 000003
【図２】
2007156883.tif 000004
【図３】
2007156883.tif 000005
【図４】
2007156883.tif 000006
【図５】
2007156883.tif 000007
【図６】
2007156883.tif 000008
【図７】
2007156883.tif 000009